(57)【要約】      （修正有）【課題】リチウムイオンバッテリーのバッテリー電圧を監視し、所定のしきい値以下になると、リチウムイオンバッテリーパックから機器本体への電流経路を遮断することで、深放電状態になるまでの期間を長くする。【解決手段】装着されたバッテリーパックがリチウムイオンバッテリーパックであるか否かを検出する電池種類検出手段と、バッテリー電圧を監視して、所定のしきい値以下になったときに所定の出力信号を出力するバッテリー電圧検出部と、前記所定の出力信号が出力され、且つ、前記バッテリーパックが装着されていることを検出したときに遮断信号を出力する制御回路と、前記遮断信号が出力されたときに前記バッテリーパックから前記本体電源として出力される電池電源を遮断し、前記遮断信号が出力されないときには前記バッテリーパックからの電池電源を本体電源として出力するバッテリー電源遮断部とを備えている。【選択図】図１
2013046553.tif 000002
【特許請求の範囲】
【請求項１】
異なる種類のバッテリーパックを装着可能であり、装着されたバッテリーパックから機器本体への本体電源を出力し得るように構成された、バッテリーパックを使用する電源制御装置において、
装着されたバッテリーパックがリチウムイオンバッテリーパックであるか否かを検出する電池種類検出手段と、
前記装着されたバッテリーパックのバッテリー電圧を監視して、所定のしきい値以下になったときに所定の出力信号を出力するバッテリー電圧検出部と、
前記所定の出力信号が出力され、且つ、前記リチウムイオンバッテリーパックが装着されていることを検出したときに遮断信号を出力する制御回路と、
前記遮断信号が出力されたときに前記リチウムイオンバッテリーパックから前記本体電源として出力される電池電源を遮断し、前記遮断信号が出力されないときには前記リチウムイオンバッテリーパックからの電池電源を前記本体電源として出力するバッテリー電源遮断部と
を備えたことを特徴とするバッテリーパックを使用する電源制御装置。
【請求項２】
前記制御回路は、
前記電池種類検出手段にてリチウムイオンバッテリーパック以外のバッテリーパックが検出された場合には前記遮断信号を出力しないように構成されていることを特徴とする請求項１に記載のバッテリーパックを使用する電源制御装置。
【請求項３】
前記バッテリー電源遮断部は、
２つのＰ−ＭＯＳＦＥＴトランジスタを、それぞれのソース同士を突き合わせて接続し、一方のＰ−ＭＯＳＦＥＴトランジスタのドレインから電池電源を入力し、両方のゲートに前記遮断信号を入力し、他方のＰ−ＭＯＳＦＥＴトランジスタのドレインから前記本体電源へ出力するように接続することにより、遮断時の前記バッテリー電源遮断部における暗電流を低減させたことを特徴とする請求項１または２の何れか１項に記載のバッテリーパックを使用する電源制御装置。
【発明の詳細な説明】
【技術分野】
【０００１】
本発明は、リチウムイオンバッテリーパックを使用した電子機器において、前記リチウムイオンバッテリーパックが深放電状態になって使用不可になるまでの期間をできるだけ延長する技術に関するものである。
【背景技術】
【０００２】
近年の電子機器に使用されるリチウムイオンバッテリーパックにおいては、リチウムイオンバッテリーパックの安全性向上のため、深放電状態での充電を禁止する制御機能を備えた保護用ＩＣを、リチウムイオンバッテリーパックに内蔵することが多くなってきている。
従来のアマチュア無線用のハンドヘルド無線機では、バッテリーパックを使用した運用時においては、バッテリーパックのバッテリー電圧を、ＣＰＵで検出し、バッテリー電圧が設定された所定の電圧以下になると、本体回路の電源をオフに制御し、本体機器の電源スイッチを操作しても本体回路の電源が入らないように構成されたものがある。
この場合、本体回路の電源は入らないが、本体回路に含まれる電源スイッチ監視回路等の各種制御回路を流れる暗電流はゼロではないので、バッテリーパックの電力が消費され続ける。
【０００３】
そのため、バッテリーパックが深放電状態になるまでの期間が短くなるという問題がある。また、深放電による充電禁止機能が動作するバッテリーパックを使用した場合には、充電禁止機能によって、そのバッテリーパックは充電も放電もできない使用不可状態になってしまうという問題がある。
また、特許文献１には、バッテリーパックに接続された電子機器への電流経路を遮断して暗電流を遮断する技術が開示されている。
【先行技術文献】
【特許文献】
【０００４】
【特許文献１】特開２０１１−１１５０１２号公報
【発明の概要】
【発明が解決しようとする課題】
【０００５】
前述したように、前記保護用ＩＣによる充電禁止機能が作動すると、その後は一切の充放電が不可能となってしまうため、リチウムイオンバッテリーパックの使用可能な期間が短くなってしまうという問題がある。
【０００６】
また、特許文献１に記載の技術では、電子機器への電流経路を遮断するに至るまでに２つのしきい値を設定して制御する技術が開示されているが、定格電圧の異なる複数種類のバッテリーパックを区別して制御し得る技術は開示されていない。
したがって、リチウムイオンバッテリーの他に、乾電池パック等のように、リチウムイオンバッテリーとは定格電圧の異なる複数種類の電池も使用可能な機器本体の場合に、バッテリーのバッテリー電圧の監視のみで電源制御を行うような構成とすると、リチウムイオンバッテリーパックでは正しい電源制御が行われるが、他の乾電池パックでは、バッテリー電圧が使用したい電圧範囲であっても、正しい電源制御が行えないという問題が発生する場合がある。
【０００７】
そこで、本発明は、バッテリーパックがリチウムイオンバッテリーパックであるか、別のバッテリーパックであるかを区別するとともに、リチウムイオンバッテリーパックの場合には、リチウムイオンバッテリーパックが深放電状態になるまでの期間を延長できるように制御するとともに、使用されているバッテリーの種類に応じた制御ができる電源制御装置を提供することを目的としている。
【課題を解決するための手段】
【０００８】
そこで、本発明の請求項１においては、
異なる種類のバッテリーパックを装着可能であり、装着されたバッテリーパックから機器本体への本体電源を出力し得るように構成された、バッテリーパックを使用する電源制御装置において、
装着されたバッテリーパックがリチウムイオンバッテリーパックであるか否かを検出する電池種類検出手段と、
前記装着されたバッテリーパックのバッテリー電圧を監視して、所定のしきい値以下になったときに所定の出力信号を出力するバッテリー電圧検出部と、
前記所定の出力信号が出力され、且つ、前記リチウムイオンバッテリーパックが装着されていることを検出したときに遮断信号を出力する制御回路と、
前記遮断信号が出力されたときに前記リチウムイオンバッテリーパックから前記本体電源として出力される電池電源を遮断し、前記遮断信号が出力されないときには前記リチウムイオンバッテリーパックからの電池電源を前記本体電源として出力するバッテリー電源遮断部と
を備えたことを特徴とする。
【０００９】
請求項２では、
前記制御回路は、
前記電池種類検出手段にてリチウムイオンバッテリーパック以外のバッテリーパックが検出された場合には前記遮断信号を出力しないように構成されている。
【００１０】
請求項３では、
前記バッテリー電源遮断部は、
２つのＰ−ＭＯＳＦＥＴトランジスタを、それぞれのソース同士を突き合わせて接続し、一方のＰ−ＭＯＳＦＥＴトランジスタのドレインから電池電源を入力し、両方のゲートに前記遮断信号を入力し、他方のＰ−ＭＯＳＦＥＴトランジスタのドレインから前記本体電源へ出力するように接続することにより、遮断時の前記バッテリー電源遮断部における暗電流を低減させている。
【発明の効果】
【００１１】
請求項１の発明によれば、
装着されたリチウムイオンバッテリーパックのバッテリー電圧が所定のしきい値以下になって遮断信号が出力されたときに、前記リチウムイオンバッテリーパックから前記本体回路へ出力される電池電源を遮断するので、
従来はオフ状態の本体回路へ流れる暗電流も遮断することができ、
リチウムイオンバッテリーパックが深放電状態となるまでの期間を延長することができる。
【００１２】
請求項２によれば、
前記電池種類検出手段にてリチウムイオンバッテリーパック以外のバッテリーパックが検出された場合には前記遮断信号を出力しないので、装着されたバッテリーパックを最後まで使い切ることができる。
【００１３】
請求項３によれば、
前記バッテリー電源遮断部は、２つのＰ−ＭＯＳＦＥＴトランジスタを、それぞれのソース同士を突き合わせて接続することにより、遮断時の前記バッテリー電源遮断部における暗電流を低減させたので、リチウムイオンバッテリーパックが深放電状態となるまでの期間をさらに延長することができる。
したがって、リチウムイオンバッテリーパックに内蔵されたバッテリー保護回路による充電禁止機能が作動して、当該リチウムイオンバッテリーパックが使用不可になるまでの期間を長くできるという効果が得られるのである。
【図面の簡単な説明】
【００１４】
【図１】本発明によるバッテリーパックを使用する電源制御装置の回路例の概略図である。
【図２】前記回路例の要部の詳細図である。
【発明を実施するための形態】
【００１５】
以下に、本発明にかかるバッテリーパックを使用する電源制御装置の実施の形態を、図面を参照して説明する。
前記バッテリーパックを使用する電源制御装置の回路例の概略を示した図１において、
本発明にかかるバッテリーパックを使用する電源制御装置１は、アマチュア無線用のハンディ機に内蔵されており、
外部電源を接続可能な外部電源入力端子２と、
装着されたバッテリーパックＢＰからバッテリー電源（バッテリー電圧Ｓ１）が入力されるバッテリーパック用入力端子３と、
前記バッテリーパックＢＰに内蔵されたバッテリー保護回路３１からの検出信号Ｓ２が入力される検出信号入力端子４と、
前記バッテリーパック用入力端子３から入力されるバッテリーパックＢＰのバッテリー電圧Ｓ１を監視して出力信号Ｓ３を出力するバッテリー電圧検出部５と、
前記検出信号Ｓ２と前記出力信号Ｓ３とが入力されてリチウムイオンバッテリー保護信号Ｓ４を出力するリチウムイオンバッテリー保護信号出力部６１と、
前記リチウムイオンバッテリー保護信号Ｓ４と、ダイオードを介した外部電源Ｓ７と、ダイオードを介した前記バッテリー電圧Ｓ１とが入力され、遮断信号Ｓ５を出力する遮断信号出力部６２と、
前記遮断信号Ｓ５に基づいて、前記バッテリーパック用入力端子３から入力されるバッテリー電源（バッテリー電圧Ｓ１）を遮断もしくは通過させるように制御するバッテリー電源遮断部７と、
前記外部電源入力端子２から入力される外部電源もしくは前記バッテリー電源遮断部７から出力されるバッテリー電源の何れか一方を、本体回路９へ供給する本体電源Ｓ６として出力する電源出力部８と
を備えている。
【００１６】
前記バッテリーパックＢＰに内蔵されたバッテリー保護回路３１は、以下のように、当該バッテリーパックＢＰの種類に応じた検出信号Ｓ２を出力するように構成されている。
リチウムイオンバッテリーパックＢＰの場合、所定の保護電圧を越えている場合には検出信号Ｓ２は当該リチウムイオンバッテリーパックＢＰのバッテリー電圧と同じレベル（ハイレベル）となり、所定の保護電圧以下になった場合には、それ以上放電させないために、当該リチウムイオンバッテリーパックＢＰの出力端子から内部のバッテリーセルを切り離すので、前記バッテリーパックを使用する電源制御装置１側から見ると、バッテリーパックが何も装着されていない状態と同じ状態となる。なお、前記リチウムイオンバッテリーパックＢＰが満充電の場合は、前記検出信号Ｓ２は０ボルトとなる。
乾電池バッテリーパックＢＰの場合、検出信号Ｓ２は０ボルト（ローレベル）となる。
【００１７】
前記バッテリー電圧検出部５は、前記バッテリーパック用入力端子３から入力されるバッテリーパックのバッテリー電圧Ｓ１を検出して、所定のしきい値（5.0Ｖ）と比較し、前記しきい値より低いときには、出力信号Ｓ３をローレベルにし、前記しきい値より高いときには、前記出力信号Ｓ３をハイレベルにする。コンデンサＣ１は、前記出力信号Ｓ３にヒステリシスをもたせるために、内蔵する遅延機能の時定数を設定するものである。
なお、このバッテリー電圧検出部５は消費電流が極めて少ない回路構成が採用されている。
【００１８】
前記リチウムイオンバッテリー保護信号出力部６１は、入力される前記検出信号Ｓ２と前記出力信号Ｓ３とに応じて以下のように動作する。
前記出力信号Ｓ３がローレベルで且つ前記検出信号Ｓ２がハイレベルのときは、前記検出信号Ｓ２のレベルを反転させ、前記リチウムイオンバッテリー保護信号Ｓ４をローレベルとして出力し、前記出力信号Ｓ３がローレベルで且つ前記検出信号Ｓ２がローレベルのときは、前記検出信号Ｓ２のレベルを反転させ、前記リチウムイオンバッテリー保護信号Ｓ４をハイレベルとして出力する。
前記出力信号Ｓ３がハイレベルのときは、前記検出信号Ｓ２のレベルの如何にかかわらず前記リチウムイオンバッテリー保護信号Ｓ４をハイレベルとして出力する。
【００１９】
前記遮断信号出力部６２は、
前記リチウムイオンバッテリー保護信号Ｓ４が入力されるとともに、
ダイオードＤ１を介したバッテリーパックＢＰのバッテリー電圧Ｓ１と、ダイオードＤ２を介した前記外部電源Ｓ７とが入力され、
前記リチウムイオンバッテリー保護信号Ｓ４はゲートトランジスタＱ２で反転されて、前記ダイオードＤ１と抵抗Ｒ３を介したバッテリーパックＢＰのバッテリー電圧Ｓ１と、前記ダイオードＤ２を介した前記外部電源Ｓ７とともに、抵抗Ｒ２を介してワイヤードオア接続されて、遮断信号Ｓ５として出力するように構成されている。
前記リチウムイオンバッテリー保護信号出力部６１と前記遮断信号出力部６２で制御回路６を構成している。
【００２０】
前記バッテリー電源遮断部７は、
前記バッテリーパックＢＰからのバッテリー電源（バッテリー電圧Ｓ１）と前記遮断信号Ｓ５が入力され、
前記遮断信号Ｓ５がハイレベルのときには、前記バッテリー電源が出力されないように遮断状態となり、
前記遮断信号Ｓ５がローレベルのときには、前記バッテリー電源が出力されるように導通状態となるように構成されている。
このバッテリー電源遮断部７は、後述するように、遮断時において出力側へ流れる暗電流が極めて少なくなるような回路構成が採用されている。
【００２１】
前記電源出力部８は、
前記外部電源Ｓ７と、前記バッテリー電源遮断部７の出力がショトキーバリアダイオードＤ３を介してワイヤードオア接続されて、本体回路９への本体電源Ｓ６として出力するように構成されている。
なお、前記ショトキーバリアダイオードＤ３が無いと、バッテリー電源Ｓ１が外部電源Ｓ７側へ逆流して前記ダイオードＤ２などによって無駄に消費されるという問題や、外部電源が接続されていない状態でも、前記本体電源Ｓ６の電圧が前記ダイオードＤ2を介して前記遮断信号Ｓ５に印加されて、前記遮断信号Ｓ５がハイレベルになると、前記バッテリー電源遮断部７を導通状態にできなくなるという問題が発生する。これらの問題の発生を防ぐために前記ショトキーバリアダイオードＤ３を配設している。また、ショトキーバリアダイオードを採用することで、ＰＮ接合ダイオード等と比較して電圧降下が少ないので、損失も少なく、発熱等の問題でも好ましい。
【００２２】
前記本体回路９は、
電源スイッチ９１が押されたか否かを常時監視して、本体回路９の内部への電源供給を制御するための電源制御回路９２や、本体回路９の全体を制御するＣＰＵ等を含んでいる。
前記電源スイッチ９１を操作して本体回路９の内部への電源供給をオフにしている状態でも、前記電源制御回路９２やＣＰＵは待機電流を消費する。
【００２３】
上記構成のバッテリーパックを使用する電源制御装置の動作を以下に説明する。
バッテリーパックＢＰとしては、リチウムイオンバッテリーパックと、乾電池パックの何れでも使用可能に構成されている。リチウムイオンバッテリーパックの使用可能なバッテリー電圧は8.4ボルト以下であり、乾電池パックの場合は5.5ボルト以下である。
また、外部電源の場合は10ボルト〜16ボルトが供給される。
【００２４】
バッテリーパックＢＰとして、リチウムイオンバッテリーパックが使用されている場合であって、しかも、リチウムイオンバッテリーパックのバッテリー電圧が、保護すべき前記しきい値以下の場合には、
前記検出信号Ｓ２は、バッテリー電圧Ｓ１が供給されるのでハイレベルとなり、
前記出力信号Ｓ３はローレベルとなるので、
前記リチウムイオンバッテリー保護信号Ｓ４はローレベルとなる。
前記ゲートトランジスタＱ２の出力はハイレベルとなり、前記遮断信号Ｓ５はハイレベルとなるので、前記バッテリー電源遮断部７は遮断状態となるので、前記バッテリー電源は、前記本体回路９側へは出力されない状態となる。
【００２５】
前記バッテリー電源遮断部７は遮断状態での暗電流は極めて微小であるので、リチウムイオンバッテリーパックはほとんど放電されず、リチウムイオンバッテリーパックが深放電になることが防止できるのである。
なお、前記バッテリー電圧検出部５の消費電流も微小であり、前記遮断信号Ｓ５がハイレベルであるので前記ダイオードＤ１もオフ状態となって電流は流れず、前記抵抗Ｒ１の抵抗値も十分に大きくすることにより、リチウムイオンバッテリーパックはほとんど放電されないのである。
【００２６】
バッテリーパックＢＰとして、リチウムイオンバッテリーパックが使用されている場合であって、リチウムイオンバッテリーパックのバッテリー電圧が、前記しきい値を越えて、使用可能な十分な電圧である場合には、
前記検出信号Ｓ２は、バッテリー電圧Ｓ１が供給されるのでハイレベルとなり、
前記出力信号Ｓ３もハイレベルとなるので、
前記リチウムイオンバッテリー保護信号Ｓ４はハイレベルとなる。
前記ゲートトランジスタＱ２の出力はローレベルとなり、前記遮断信号Ｓ５はローレベルとなるので、前記バッテリー電源遮断部７は導通状態となるので、前記バッテリー電源は、前記本体回路９側へ出力される状態となる。このとき、前記ダイオードＤ１はオン状態になるが前記抵抗Ｒ２、Ｒ３によって電流制限されているので、前記ダイオードＤ１を通過する電流は僅かなものとなっている。
このようにして、リチウムイオンバッテリーパックを使用し続けることができる。
【００２７】
バッテリーパックＢＰとして、乾電池パックが使用されている場合には、深放電に注意する必要は無いので、乾電池パックを全て放電してもよい。
したがって、乾電池パックのバッテリー電圧が、前記しきい値を以下の場合でも以下のように制御する。
前記検出信号Ｓ２は、乾電池パックを検出してローレベルとなり、
前記出力信号Ｓ３もローレベルとなるので、
前記リチウムイオンバッテリー保護信号Ｓ４はハイレベルとなる。
【００２８】
前記ゲートトランジスタＱ２の出力はローレベルとなり、前記遮断信号Ｓ５はローレベルとなるので、前記バッテリー電源遮断部７は導通状態となり、前記バッテリー電源は、前記本体回路９側へ出力される状態となる。このときも前記ダイオードＤ１を通過する電流は僅かなものとなっている。
このようにして、バッテリー電圧が低下しても乾電池パックを最後まで使用し続けることができる。
【００２９】
バッテリーパックＢＰとして、乾電池パックが使用されている場合であって、そのバッテリー電圧が、前記しきい値を越える場合には、
前記検出信号Ｓ２は、乾電池パックを検出してローレベルとなるが、
前記出力信号Ｓ３はハイレベルとなるので、
前記リチウムイオンバッテリー保護信号Ｓ４はハイレベルとなる。
前記ゲートトランジスタＱ２の出力はローレベルとなり、前記遮断信号Ｓ５はローレベルとなるので、前記バッテリー電源遮断部７は導通状態となり、前記バッテリー電源は、前記本体回路９側へ出力される状態となる。このときも前記ダイオードＤ１を通過する電流は僅かなものとなっている。
このようにして、乾電池パックを使用し続けることができる。
【００３０】
なお、10ボルト〜16ボルトの外部電源Ｓ７が供給される場合には、
前記ダイオードＤ２がオン状態になって前記遮断信号Ｓ５は強制的にハイレベルになるので、前記バッテリー電源遮断部７は遮断状態となり、バッテリーパックＢＰに装着されたバッテリーパックは消費されない。
【００３１】
前記バッテリーパックを使用する電源制御装置によれば、
バッテリーパックＢＰとしてリチウムイオンバッテリーパックを使用する場合に、
過放電領域に達した後には、バッテリー電源遮断部7が遮断されて暗電流が極めて少ない状態になるので、リチウムイオンバッテリーパックが深放電状態になるまでの期間を長くすることができる。したがって、深放電状態になって、リチウムイオンバッテリーパックに内蔵されたバッテリー保護回路による充電禁止機能が作動して、当該リチウムイオンバッテリーパックが使用不可になるまでの期間を長くすることができる。
【００３２】
また、定格電圧の異なる別種類のバッテリーパックを使用する場合に、バッテリーパックの種類が異なるにもかかわらず、同じバッテリー電圧の範囲であっても、バッテリーパックに内蔵されたバッテリー保護回路から出力されるバッテリーパックの種類に応じた検出信号Ｓ２を併用して、リチウムイオンバッテリーパックに適した制御を行うことができる。なお、前記検出信号Ｓ２に基づいて、乾電池パックの場合には従来通り電池を使い切ることができる。
外部電源を接続したときは、従来通り、バッテリーパックＢＰ側は遮断して、外部電源のみを使用するように制御することができる。
【００３３】
また、バッテリー電源遮断部７の暗電流を微小にするとともに、バッテリーパック用入力端子３からバッテリー電源遮断部７までの無駄な消費電流を低減する回路構成を採用したので、リチウムイオンバッテリーパックが深放電状態になるまでの期間を延長することができる。
また、規定の電源電圧が要求されるマイコン制御を用いていないため、乾電池パックのバッテリー電圧がマイコンの動作電圧以下に低下しても制御が可能である。
【００３４】
次に、前記バッテリー電源遮断部７における暗電流を微小とするために採用した回路構成の一例を、図２を参照して説明する。
なお、図２は、図１と異なり、各部の回路構成をできるだけ詳細に示しているが、図１の回路構成と同じ機能の部分には、図１と同じ符号を付してその説明は省略している。
図２において、バッテリー電源遮断部７は、
２つのＰ−ＭＯＳＦＥＴトランジスタＱ３，Ｑ４を、それぞれのソース同士を突き合わせて接続し、一方のＰ−ＭＯＳＦＥＴトランジスタＱ３のドレインに、図１におけるバッテリー電源（バッテリー電圧Ｓ１）を入力し、両方のゲートに前記遮断信号Ｓ５を入力し、他方のＰ−ＭＯＳＦＥＴトランジスタＱ４のドレインから本体電源S６を出力するように接続したものである。
【００３５】
ちなみに、Ｐ−ＭＯＳＦＥＴトランジスタＱ３は、ドレインから入力してソース側に出力しているが、これはＰ−ＭＯＳＦＥＴトランジスタＱ３に内蔵しているダイオード（ドレイン−ソース間）によって流れる電流を遮断するために、他方のＰ−ＭＯＳＦＥＴトランジスタＱ４のソースと突き合わして接続することで、バッテリー電源遮断部７の入力側と出力側との間に不要な電流を流さないように構成している。
このように、２つのＰ−ＭＯＳＦＥＴトランジスタＱ３，Ｑ４を、それぞれのソース同士を突き合わせて接続することによって、暗電流が流れて、リチウムイオンバッテリーパックが深放電状態になることを抑制するとともに、外部電源の比較的に高い電圧がバッテリー電源遮断部７を逆流して、バッテリー電源側に印加されてバッテリー電圧検出部５との回路素子の過電圧が印加されることを防止している。
【産業上の利用可能性】
【００３６】
本発明は、アマチュア無線用の電子機器に限らず、リチウムイオンバッテリーパックを使用する種々の電子機器に広く適用できる。
【符号の説明】
【００３７】
１  バッテリーパックを使用する電源制御装置
２  外部電源入力端子
３  バッテリーパック用入力端子
３１  バッテリー保護回路
４  検出信号入力端子
５  バッテリー電圧検出部
６  制御回路
６１  リチウムイオンバッテリー保護信号出力部
６２  遮断信号出力部
７  バッテリー電源遮断部
８  電源出力部
Ｓ１  電池電圧、バッテリー電源
Ｓ２  検出信号
Ｓ３  出力信号
Ｓ４  リチウムイオンバッテリー保護信号
Ｓ５  遮断信号
Ｓ６  本体電源
Ｓ７  外部電源
【図１】
2013046553.tif 000003
【図２】
2013046553.tif 000004